(57)【要約】【課題】エクスプレスカード(Express Card）に対応したＰＣカード構造を提供する。【解決手段】  Express  Card及びUSBコネクタ及び内蔵USBインターフェイスを備える変換コネクタより構成され、該USBインターフェイスは回路板上に内蔵されてなり、該回路板の一端はUSBコネクタが連接され、他端は導通部を設けてなりExpress  Cardと電気的に接続するＰＣカード構造である。該変換コネクタはExpress  Cardのスロットに被せられてなり、Express  Cardコネクタだけを支援するカードがUSBインターフェイス及びUSBコネクタを通してコンピュータ或いはその他の設備に対応して連接しデータの転送を実施することを可能にする。【選択図】図２
0003120359.tif 000002
【実用新案登録請求の範囲】
【請求項１】
エクスプレスカード、変換コネクタより構成され、
前記エクスプレスカードはスロットを備えてなり、
前記変換コネクタはUSBインターフェイスを備える回路板を内蔵してなり、該回路板の一端はUSBコネクタが連接され、他端は導通部を設けてなりエクスプレスカードのスロットに挿入され電気的に接続してなることを特徴としたＰＣカード。
【請求項２】
前記変換コネクタの形状とエクスプレスカードのスロットは総合的に係合し、変換コネクタは被せる方式でエクスプレスカードと一体に連接してなることができ、該変換コネクタの回路板はエクスプレスカード電源と整合させる電圧変換回路を内蔵してなることを特徴とした請求項１に記載のＰＣカード。
【請求項３】
前記エクスプレスカード内蔵の回路上は電圧計測器、電圧変換回路、及び電圧切換スイッチを備えてなり、電圧計測器が計測した連接する電源の電圧が５Vの場合は、電圧変換スイッチに一つの信号を送りエクスプレスカード内蔵の回路と電圧変換回路を連接し、該電圧変換回路を通して電圧を５Vから３Vに下げてエクスプレスカードの内部回路に使用させ、反対に電圧計測器が計測した接続する電源が３Vの場合は、電圧切換スイッチに一つの信号を送り、直接に電源をエクスプレスカードの内部回路に使用させることを特徴とした請求項１に記載のＰＣカード。
【請求項４】
エクスプレスカード、変換コネクタより構成され、
前記エクスプレスカードはスロットを備えてなり、
前記変換コネクタはUSBインターフェイスを備える回路を内蔵してなり、該回路板の一端は接続ケーブルを通してUSBコネクタと連接してなり、他端は導通部を設けてなりエクスプレスカードのスロットに挿入され電気的に接続してなることを特徴としたＰＣカード。
【請求項５】
前記変換コネクタの形状とエクスプレスカードのスロットは総合的に係合し、変換コネクタは被せる方式でエクスプレスカードと一体に連接してなることができ、該変換コネクタの回路板はエクスプレスカード電源と整合させる電圧変換回路を内蔵してなることを特徴とした、請求項４に記載のＰＣカード。
【請求項６】
前記エクスプレスカード内蔵の回路上は電圧計測器、電圧変換回路、及び電圧切換スイッチを備えてなり、電圧計測器が計測した連接する電源の電圧が５Vの場合は、電圧変換スイッチに一つの信号を送りエクスプレスカード内蔵の回路と電圧変換回路を連接し、該電圧変換回路を通して電圧を５Vから３Vに下げてエクスプレスカードの内部回路に使用させ、反対に電圧計測器が計測した接続する電源が３Vの場合は、電圧切換スイッチに一つの信号を送り、直接に電源をエクスプレスカードの内部回路に使用させることを特徴とした請求項４に記載のＰＣカード。
【考案の詳細な説明】
【技術分野】
【０００１】
本考案は、特に、ＰＣＩ−ＳＩＧ（Peripheral ComponentInterconnect-Special Interest Group）が新たに制定したエクスプレスカード(Express Card）に対し、データの保存や伝達に利用されてなり、本考案を利用した新しい設計は、USBインターフェイスを支援し、USBコネクタを通してコンピュータ機器の対応するスロットに連接することを可能とするＰＣカード構造に関する。
【背景技術】
【０００２】
科学技術の進歩により、従来の固定式の電子データ保存装置は可携帯式の保存装置により取って代わられ、早期にＰＣＩ−ＳＩＧ（PCI規格協会）が統一して制定したＰＣカード規格は、体積が比較的大きく携帯に不便であると共に、データ伝送速度は使用者の必要とする速度に対して不十分であり、既に他の電子保存媒体により取って代わられつつある。
【０００３】
市場の主流に復帰する為、PCIにより新しいＰＣカードが制定され、「Express Card」と命名された。Express Cardは現在、その外観及び大きさにより、Express５４とExpress３４の２種類の規格に区別されてなり、体積が小さく、高度な転送速度を備えてなり、近い将来、従来のCard Bus  PC Cardに取って代わると言われている。
【０００４】
Express CardとコンピュータのチップはPCIE(PCI Express)インターフェイスにより直接通信することが可能であるが、コンピュータ設備上にPCIEコネクタの増設を必要とし、図１に示すように、コンピュータの一端１０におけるPCIEコネクタスロット１１によりExpress Card１２を収納し、接続される。PCIE以外には、Express Cardを支援するインターフェイスはなく、応用範囲が制限される。
【特許文献１】特開2005−166028号公報
【特許文献２】特開2005−277197号公報
【考案の開示】
【考案が解決しようとする課題】
【０００５】
本考案は、特にExpress Cardに対して、該Express Cardが支援するPCIEインターフェイス以外に、USBも支援することを可能にし、応用範囲を拡大する、USBコネクタ及びインターフェイスを備えるＰＣカード構造を提供することを目的とする。
【課題を解決するための手段】
【０００６】
上述のＰＣカード構造は、下記の方式により実現することができる。Express  Card及びUSBコネクタを備えてなると共にUSBインターフェイスを内蔵する変換コネクタを設けてなり、該USBインターフェイスは、回路板上に構成され、該回路板の一端にはUSBコネクタが接続されてなり、他端には導通部が設けられExpress  Cardと電気的に接続されてなる。この変換コネクタは、Express  Cardのスロットに被せられてなり、Express  Cardコネクタを支援するカードとしてなり、USBインターフェイス或いはUSBコネクタを通してパソコン及びその他の機器に対応して接続及びデータの伝送を実施することができる。
【０００７】
すなわち、請求項１の考案は、エクスプレスカード(Express Card）、変換コネクタより構成され、前記エクスプレスカード(Express Card）はスロットを備えてなり、前記変換コネクタはUSBインターフェイスを備える回路板を内蔵してなり、該回路板の一端はUSBコネクタが連接され、他端は導通部を設けてなりエクスプレスカード(Express Card）のスロットに挿入され電気的に接続してなることを特徴としたＰＣカードである。
【０００８】
請求項２の考案は、前記変換コネクタの形状とエクスプレスカード(Express Card）のスロットは総合的に係合し、変換コネクタは被せる方式でエクスプレスカード(Express Card）と一体に連接してなることができ、該変換コネクタの回路板はエクスプレスカード(Express Card）電源と整合させる電圧変換回路を内蔵してなることを特徴とした請求項１に記載のＰＣカードである。
請求項３の考案は、前記エクスプレスカード(Express Card）内蔵の回路上は電圧計測器、電圧変換回路、及び電圧切換スイッチを備えてなり、電圧計測器が計測した連接する電源の電圧が５Vの場合は、電圧変換スイッチに一つの信号を送りエクスプレスカード(Express Card）内蔵の回路と電圧変換回路を連接し、該電圧変換回路を通して電圧を５Vから３Vに下げてエクスプレスカード(Express Card）の内部回路に使用させ、反対に電圧計測器が計測した接続する電源が３Vの場合は、電圧切換スイッチに一つの信号を送り、直接に電源をエクスプレスカード(Express Card）の内部回路に使用させることを特徴とした請求項１に記載のＰＣカードである。
【０００９】
請求項４の考案は、エクスプレスカード(Express Card）、変換コネクタより構成され、前記エクスプレスカード(Express Card）はスロットを備えてなり、前記変換コネクタはUSBインターフェイスを備える回路を内蔵してなり、該回路板の一端は接続ケーブルを通してUSBコネクタと連接してなり、他端は導通部を設けてなりエクスプレスカード(Express Card）のスロットに挿入され電気的に接続してなることを特徴としたＰＣカードである。
【００１０】
請求項５の考案は、前記変換コネクタの形状とエクスプレスカード(Express Card）のスロットは総合的に係合し、変換コネクタは被せる方式でエクスプレスカード(Express Card）と一体に連接してなることができ、該変換コネクタの回路板はエクスプレスカード(Express Card）電源と整合させる電圧変換回路を内蔵してなることを特徴とした請求項４に記載のＰＣカードである。
請求項６の考案は、前記エクスプレスカード(Express Card）内蔵の回路上は電圧計測器、電圧変換回路、及び電圧切換スイッチを備えてなり、電圧計測器が計測した連接する電源の電圧が５Vの場合は、電圧変換スイッチに一つの信号を送りエクスプレスカード(Express Card）内蔵の回路と電圧変換回路を連接し、該電圧変換回路を通して電圧を５Vから３Vに下げてエクスプレスカード(Express Card）の内部回路に使用させ、反対に電圧計測器が計測した接続する電源が３Vの場合は、電圧切換スイッチに一つの信号を送り、直接に電源をエクスプレスカード(Express Card）の内部回路に使用させることを特徴とした請求項４に記載のＰＣカードである。
【考案の効果】
【００１１】
本考案のＰＣカード構造は、エクスプレスカード(Express Card）及びUSBコネクタを備えてなると共にUSBインターフェイスを内蔵する変換コネクタを設けてなり、該変換コネクタは、Express Cardのスロットに被せられてなり、Express Cardコネクタを支援するカードとしてなり、USBインターフェイス或いはUSBコネクタを通してパソコン及びその他の機器に対応して接続及びデータの伝送を実施することを可能とする。
【考案を実施するための最良の形態】
【００１２】
そもそも、エクスプレスカード(Express Card）は、ＰＣカードがISAバスをベースに作られ、その後PCIと同等のCard Busとなったもので、転送速度などの点で限界がきており、PCIバスのほうがPCI Expressに切り替わるので、それに合わせて新しく作られたのがExpress Cardであるが、Express  Card自体は、原理的には現行のUSB 2.0対応機器をベースに作られている。ただし、PC本体側のExpress Cardスロットには、電源状態の検出や電源のON/OFFなどのサポート回路が必要となる。
該Express Cardモジュールには、幅が34mmの「ExpressCard/34」と、54mmの「ExpressCard/54」の2種類があり、ExpressCard/54は、CFカードのアダプタや、小さくできないHDDモジュールなどを入れたりするため、現在のＰＣカードと同じ幅の54mmにしてあるが、コネクタ部分はカードの片側に寄っており、ExpressCard/34と同じ大きさになっている。
厚さは5mm、長さは最低75mmと規定されており、スロットには、最低でも6mmの高さが必要となる。
カードに供給される電源は、3種類あり、３Ｖ(3.3V)が2種類と1.5Vである。３Ｖ(3.3V)の片方は、いわゆるUSB 2.0用の電源ラインを継承したものである。
【００１３】
ここで、本考案の好適なエクスプレスカード(Express Card）に対応したＰＣカードの実施例を図面に沿って説明する。
図２及び図３は本考案の主要構造の関係図である。
図に示すように、本考案のＰＣカード構造はエクスプレスカード(Express Card）２、USBコネクタ３０を外接してなる変換コネクタ３を設けてなり、該変換コネクタ３は、USBインターフェイスを備える回路板３１を内蔵してなり、回路板３１の一端にはUSBコネクタ３０を連接してなり、他端には導通部３２を備えてなりExpress  Card２のスロット２１に進入し電気的に連接させてなる。
【００１４】
上述の変換コネクタ３の形状とExpress Card２のスロット２１は相互に係合し、該変換コネクタ３は被せる方式でExpress Card２と一体に連結することができる。他の実施例では、図４に示すように、該USBコネクタ３０が外部接続ケーブル３３を通して変換コネクタ３が内蔵する回路板３１に電気的に連接してなり、更に該変換コネクタ３はExpress  Card２のスロット２１に被せられて接続し、こうして使用する際の距離を延長することができ、使用の利便性を高める。
【００１５】
図５に示すように、一般のUSBインターフェイスが使用する電源は５V、Express  Cardの使用する電源は３Vであり、よって前記の変換コネクタ３が内蔵する回路板３１内において、適時に一つの電圧変換回路３１１を提供してなり、両者が使用する電源は相互に整合することができる。
【００１６】
図６に示すように、Express Card２の内蔵する回路上には電圧計測器２２、電圧変換回路２３、及び電圧変換スイッチが設けられ、電圧計測器２２が計測する連接する電源が５Vの場合、一つの信号を電圧切換スイッチ２４に提供しExpress Cardの内蔵する回路が電圧変換回路２３と連接し、該電圧変換回路２３を通して電圧を５Vから３Vに下げてExpress  Cardの内部の回路に供給し使用させる。反対に、電圧計測器２２が計測した連接する電圧が３Vの場合は、同様に一つの信号を電圧切換スイッチ２４に送り直接に電源をExpress Cardの内部の回路に供給し使用させる。
【００１７】
以上のような実施例のＰＣカード構造は、Express Card及びUSBコネクタを備えてなると共にUSBインターフェイスを内蔵する変換コネクタを設けてなり、該変換コネクタは、Express  Cardのスロットに被せられてなり、Express  Cardコネクタを支援するカードとしてなり、USBインターフェイス或いはUSBコネクタを通してパソコン及びその他の機器に対応して接続及びデータの伝送を実施することを可能とする。
【００１８】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができることは勿論である。例えば、電圧も５Ｖから必要に応じて3V(3.3V）或いは1.5Vに変換すればよい。
【図面の簡単な説明】
【００１９】
【図１】従来のエクスプレスカード(Express Card）とコンピュータ機器のスロットの状態図である。
【図２】本考案の第一実施例の分解図である。
【図３】本考案の第一実施例の組み立て図であり、タグを含む装置の説明図である。
【図４】本考案の第二実施例の説明図である。
【図５】本考案の変換コネクタ内部とExpress Cardの電圧を整合させる回路の方形図である。
【図６】本考案のExpress Card内部の電圧を整合させる回路の方形図である。
【符号の説明】
【００２０】
２     Express  Card
２１   Express  Cardのスロット
２２   電圧計測器
２３   電圧変換回路
２４   電圧切換スイッチ
３     変換コネクタ
３０   USBコネクタ
３１１ 電圧変換回路
３１   回路板
３２   導通部
３３   接続ケーブル
【図１】
0003120359.tif 000003
【図２】
0003120359.tif 000004
【図３】
0003120359.tif 000005
【図４】
0003120359.tif 000006
【図５】
0003120359.tif 000007
【図６】
0003120359.tif 000008